(57)【要約】【課題】  本発明はバッグに関し、全体を簡単にコンパクトな形状に閉じることができると共に、コンパクトに閉じた全体形状を維持することが可能で、デザイン性に優れたバッグを提供することを目的とする。【解決手段】  請求項１に係る発明は、開いたときに開口部を形成する前布部と後布部と左右一対の側布部とを備え、前記側布部を折り曲げて前記開口部を閉じるバッグに於て、前記側布部の少なくとも上部に、当該側布部を折曲させる折り曲げ案内板を取り付けたことを特徴とする。そして、請求項２に係る発明は、請求項１に記載のバッグに於て、前記折り曲げ案内板は、折り曲げが容易な折曲部が設けられていることを特徴とし、請求項３に係る発明は、請求項１に記載のバッグに於て、前記折り曲げ案内板は、側布部の折り曲げ位置に沿って両側に配置される一対の板材であることを特徴とする。【選択図】    図１
2007319218.tif 000002
【特許請求の範囲】
【請求項１】
開いたときに開口部を形成する前布部と後布部と左右一対の側布部とを備え、前記側布部を折り曲げて前記開口部を閉じるバッグに於て、
前記側布部の少なくとも上部に、当該側布部を折曲させる折り曲げ案内板を取り付けたことを特徴とするバッグ。
【請求項２】
前記折り曲げ案内板は、折り曲げが容易な折曲部が設けられていることを特徴とする請求項１に記載のバッグ。
【請求項３】
前記折り曲げ案内板は、側布部の折り曲げ位置に沿って両側に配置される一対の板材であることを特徴とする請求項１に記載のバッグ。
【発明の詳細な説明】
【技術分野】
【０００１】
本発明はバッグに係り、詳しくは全体を簡単にコンパクトな形状に閉じることができると共に、コンパクトに閉じた全体形状を維持することが可能で、デザイン性に優れたバッグに関する。
【背景技術】
【０００２】
従来、物を入れて持ち運ぶために様々なバッグが使用されており、特許文献１に開示されるように、昨今では、携帯電話収納ケース付きのバッグを始め、特許文献２に開示されるように、乳母車に取り付けて物品収納袋として使用することのできるトートバッグ等、バッグの実用性を高める様々な提案がなされている。
ところで、従来、釣人はシューズやウエーダー，雨具等の濡れ物、或いは濡らしたくない物をトート型の手提げバッグ等に収納して釣場に携帯しているが、開口部の大きなこの種の手提げバッグは、開いたときに略矩形状や横長な略六角形状の開口部を形成する前布部と後布部と左右一対の側布部とを備え、一般的にこれらは防水性と柔軟性を有するナイロンやポリウレタン等の合成樹脂シートで形成されている。
【０００３】
そして、左右の側布部を夫々内方へ谷折りし乍ら、前布部と後布部のフック同士を止着してバッグの開口部を閉じた後、谷折りした夫々の側布部を更にフックで止めたり、また、開口部に沿って前布部，後布部から側布部に亘ってスライドファスナーを縫着したバッグでは、スライドファスナーでバッグの開口部を閉じた後、左右の側布部を夫々谷折りし乍ら、スライドファスナーが取り付く左右の側布部の上部を下方に折り曲げて、スライドファスナーの端部側に取り付けたフックを側布部側のフックに止着してバッグ全体の形状をコンパクト化する等の方法が採られている。
【特許文献１】特開平１０−２８６０９号公報
【特許文献２】特開２００５−１４３８２０号公報
【発明の開示】
【発明が解決しようとする課題】
【０００４】
このように、従来のバッグは、バッグ自体が柔軟な合成樹脂シートからなる構造上、開口部が種々変形するため、これを閉じようとする際に操作がし難かったり、側布部の谷折り作業が瞬時にできない等の不具合が指摘されていた。
また、既述したようにスライドファスナーでバッグの開口部を閉じた後、左右の側布部を夫々谷折りし乍ら、スライドファスナーが取り付く左右の側布部の上部を下方に折り曲げてバッグ全体の形状をコンパクト化しても、側布部の谷折り形状を長時間に亘って維持することができず、型崩れが生じてデザイン的に劣るといった欠点もあった。
【０００５】
本発明は斯かる実情に鑑み案出されたもので、全体を簡単にコンパクトな形状に閉じることができると共に、コンパクトに閉じた全体形状を維持することが可能で、デザイン性に優れたバッグを提供することを目的とする。
【課題を解決するための手段】
【０００６】
斯かる目的を達成するため、請求項１に係る発明は、開いたときに開口部を形成する前布部と後布部と左右一対の側布部とを備え、前記側布部を折り曲げて前記開口部を閉じるバッグに於て、前記側布部の少なくとも上部に、当該側布部を折曲させる折り曲げ案内板を取り付けたことを特徴とする。
そして、請求項２に係る発明は、請求項１に記載のバッグに於て、前記折り曲げ案内板は、折り曲げが容易な折曲部が設けられていることを特徴とし、請求項３に係る発明は、請求項１に記載のバッグに於て、前記折り曲げ案内板は、側布部の折り曲げ位置に沿って両側に配置される一対の板材であることを特徴とする。
【発明の効果】
【０００７】
各請求項に係る発明によれば、バッグ全体を簡単にコンパクトな形状に閉じることができると共に、コンパクトに閉じたバッグの全体形状を折り曲げ案内板によって維持することが可能で、形崩れのないデザイン性に優れた利点を有する。
そして、請求項２に係る発明によれば、折り曲げ案内板の折曲部に従って側布部が自然に折曲されてバッグの開口部を簡単にコンパクトな形状に閉じることができ、また、請求項３に係る発明によれば、側布部が一対の板材の間で折曲されて簡単に開口部が閉じられる利点を有する。
【発明を実施するための最良の形態】
【０００８】
以下、本発明の実施形態を図面に基づいて詳細に説明する。
図１乃至図５は請求項１及び請求項２に係る発明をトート型の手提げバッグに適用した第一実施形態を示し、図１に於て、１は防水性と柔軟性を有する合成樹脂製のシート材３で形成されたバッグ本体で、図２及び図５に示すようにバッグ本体１は、前面を形成する前布部５と、後面を形成する後布部７と、側面を形成する左右一対の側布部９，１１と底部１３とで袋状に形成されて内部を収納部とし、バッグ本体１を開いた際に、上部に横長な平面視略六角形状の開口部１５が開口するようになっている。
【０００９】
図５に示すようにシート材３は、所定形状に裁断されたナイロンやポリウレタン等の合成樹脂シート１７の裏面側に、ナイロン織布等の薄い化粧布１９を添設した積層構造をなし、前記底部１３はシート材３より硬い合成樹脂材料で芯材が形成されている。
尚、シート材３を皮革等で形成してもよい。
そして、前布部５と後布部７，側布部９，１１の上縁部に沿ってスライドファスナー２１が縫着されると共に、前布部５と後布部７の上部外周に一対の帯状のハンドル２３がＵ字状に取り付けられている。
【００１０】
また、前記側布部９，１１は正面視台形形状に形成されており、図２に示すようにスライドファスナー２１の操作部２５を操作してバッグ本体１を開くと、両側布部９，１１が折り線２７に沿って外方へ山折りされて、既述したように横長な平面視略六角形状の開口部１５が開口するようになっている。
而して、本実施形態は、上述の如き構成に加え、側布部９，１１の上部に、バッグ本体１を閉じる際に当該側布部９，１１の折り曲げを案内するため、容易に折り曲げができるように曲げ硬さが小さい折り癖（折曲部）３１を設けた合成樹脂製の折り曲げ案内板２９を取り付けている。
【００１１】
図４に示すように折り曲げ案内板２９は、ポリウレタン等の板材により正面視逆二等辺三角形状に形成されると共に、その中央の上下方向に、山折りに折曲し稜線状に形成された折り癖３１が付けられて形成されている。
従って、折り曲げ案内板２９は、側布部９，１１を形成するシート材３より硬質な材料で形成されて折り曲げが規制されるが、当該折り癖３１に沿って可撓自在である。
【００１２】
そして、図４及び図５に示すように折り曲げ案内板２９は、折り癖３１を側布部９，１１の折り線２７に重なるように合致させて、側布部９，１１の合成樹脂シート１７と化粧布１９との間に、夫々、断面Ｖ字状に折曲して取り付けられており、その上辺３３は側布部９，１１の上縁部に沿って配置されている。
この折り曲げ案内板２９の折り癖３１と合致する側布部９，１１の折り線２７の部分が、折り曲げ案内板２９に案内されて折曲される折り曲げ位置となる。
【００１３】
そして、図２の如く開口部１５が開いた状態で、図３の如く断面Ｖ字状の折り曲げ案内板２９を狭めるように側布部９，１１の上部を摘むと、折り曲げ案内板２９の周縁部の斜辺３５，３７に沿って側布部９，１１に谷折りの折り線３９が形成されて、折り曲げ案内板２９が取り付く部位が下方へ自然に折曲し乍ら、側布部９，１１が折り線２７に沿って内方へ自然に谷折りされて開口部１５が閉じるようになっている。そして、図２の状態から図１の如く折り曲げ案内板２９が取り付く部位が下方へ略９０°折曲すると、完全に開口部１５が閉じるようになっており、この後、操作部２５を操作してスライドファスナー２１を閉じればよい。
【００１４】
而して、このとき、図１に示すように折り曲げ案内板２９が取り付く部位は、谷折りして凹んだバッグ４１の両サイド内に収納されてバッグ４１全体のコンパクト化が図られると共に、折り曲げ案内板２９が側布部９，１１を内方へ押圧して、コンパクトに閉じられたバッグ４１の全体形状を維持するようになっている。
本実施形態に係るバッグ４１はこのように構成されているから、図２の如く開口部１５を開いて内部に荷物を収納した後、図３の如く折り曲げ案内板２９を狭めるように側布部９，１１の上部を摘めば、シート材３より硬質の折り曲げ案内板２９の斜辺３５，３７に沿って側布部９，１１に谷折りの折り線３９が形成されて、折り曲げ案内板２９が取り付く部位が下方へ自然に折曲し乍ら、側布部９，１１が折り線２７に沿って内方へ自然に谷折りされて開口部１５が閉じていく。
【００１５】
従って、側布部９，１１は、折り曲げ案内板２９の折り癖３１と折り曲げ案内板２９の周縁部の斜辺３５，３７に沿って、これに案内されて折曲される。
そして、図１の如く折り曲げ案内板２９が取り付く部位が下方へ略９０°折曲すると、開口部１５は完全に閉じられるので、操作部２５を操作してスライドファスナー２１を閉じればよく、このとき、開口部１５が完全に閉じているので、バッグ本体１が柔軟性を有するシート材３で形成されていてもスライドファスナー２１の操作が容易に行える。
【００１６】
また、このとき、折り曲げ案内板２９が取り付く部位が、内方へ凹んだバッグ４１の両サイド内に収納されてバッグ４１全体がコンパクト化し、また、折り曲げ案内板２９が側布部９，１１を内方へ押圧して、コンパクト化されたバッグ４１の全体形状を維持し、バッグ４１の形崩れを防止する。
そして、スライドファスナー２１を全開すれば、図２に示すようにバッグ本体１の上部に横長な平面視略六角形状の開口部１５が開口する。
【００１７】
このように、本実施形態によれば、折り曲げ案内板２９を狭めるように側布部９，１１の上部を摘むだけで、側布部９，１１が折り線２７に沿って自然に谷折りされてバッグ４１全体を簡単にコンパクトな形状に閉じることができると共に、コンパクトに閉じたバッグ４１の全体形状を折り曲げ案内板２９によって維持することが可能で、形崩れのないデザイン性に優れた利点を有する。
【００１８】
また、側布部９，１１は折り線２７を設けているが、折り線２７を有していなくても、折り曲げ案内板２９に従って容易に側布部９，１１を折り曲げて開口部１５を閉じることができる。
尚、図５に示すように上記実施形態は、折り曲げ案内板２９を合成樹脂シート１７と化粧布１９との間に取り付けたが、図６に示す請求項１及び請求項２の第二実施形態に係るバッグ４１-1のように、折り癖３１を側布部９，１１の折り線２７に一致させて、側布部９，１１の外周（または、図示しないが内周）に折り曲げ案内板２９を取り付けてもよい。
【００１９】
更に、上記実施形態では、折り曲げ案内板２９を側布部９，１１の上部の開口部１５近傍に設けたが、側布部９，１１の下部に延長して設けてもよい。また、折曲部は折り曲げ案内板２９の他の部位より曲げ硬さが小さく形成されていればよく、折り癖３１に限らず、薄肉に形成した折り線等で折曲部を形成してもよい。
而して、これらの実施形態によっても、前記実施形態と同様、所期の目的を達成することが可能である。
【００２０】
図７乃至図１０は請求項１及び請求項３の発明を同じくトート型の手提げバッグに適用した一実施形態を示し、以下、本実施形態を図面に基づいて説明するが、図１乃至図５の実施形態と同一のものは同一符号を以って表示する。
図に於て、４３はシート材３で形成されたバッグ本体で、バッグ本体４３は、前布部４５と後布部４７と左右一対の側布部４９，５１と底部１３とで袋状に形成されて内部を収納部とし、バッグ本体４３を開いた際に、上部に横長な平面視略矩形状の開口部５３が開口するようになっている。そして、前布部４５と後布部４７の上部外周に一対の帯状のハンドル２３がＵ字状に取り付くと共に、前布部４５と後布部４７の上部に、図８の如く開口部５３を閉じた際に互いに係合する一対のフック５５，５７が取り付けられている。
【００２１】
そして、前記側布部４９，５１は正面視矩形状に形成されて、その中央に側布部４９，５１を常時谷折りさせる折り線５９が上下方向に設けられているが、図９に示すように本実施形態は、当該折り線５９に沿って各側布部４９，５１の上部に、前記折り曲げ案内板２９と同一の、シート材３より硬質の材料で形成した左右一対の正面視矩形状の板材からなる折り曲げ案内板６１，６３を配置したものである。
【００２２】
従って、折り曲げ案内板６１，６３間の折り曲げ案内板が配されていない部分に沿って側布部４９，５１が容易に折曲されるようになる。
図９及び図１０に示すように両折り曲げ案内板６１，６３は、側布部４９，５１の合成樹脂シート１７と化粧布１９との間に取り付けられており、夫々の一辺６５，６７は側布部４９，５１の上縁部に沿って配置されている。
【００２３】
そして、図７の如く開口部５３が開いた状態で、前布部４５と後布部４７の左右の上部角部を摘むと、折り曲げ案内板６１，６３が所謂「重し」となって、一対の折り曲げ案内板６１，６３の間に沿って側布部４９，５１が折曲され、前布部４５と後布部４７を近づけるため、側布部４９，５１が折り線５９に沿って自然に谷折りされて開口部５３が閉じるようになっており、この後、フック５５，５７同士を係合させればよい。そして、このとき、図８に示すように両折り曲げ案内板６１，６３が同様に「重し」となって側布部４９，５１の谷折り状態を維持し、バッグ６９の全体形状を維持して形崩れを防止するようになっている。
【００２４】
本実施形態はこのように構成されているから、図７の如く開口部５３を開いて内部に荷物を収納した後、前布部４５と後布部４７の左右の上部角部を摘めば、折り曲げ案内板６１，６３間で容易に折曲されて前布部４５と後布部４７を近づけ、側布部４９，５１が折り線５９に沿って内方へ自然に谷折りされて開口部５３が閉じていく。
そして、開口部５３が閉じた状態で、図８の如くフック５５，５７同士を係合させればよく、この後、両折り曲げ案内板６１，６３が配された部分の折り曲げが規制されて側布部４９，５１の谷折り状態を維持し、バッグ６９の全体形状を維持することとなる。
【００２５】
このように、本実施形態によれば、前布部４５と後布部４７の左右の上部角部を摘むだけで、折り曲げ案内板６１，６３が重しとなって前布部４５と後布部４７を近づけ、側布部４９，５１が折り線５９に沿って自然に谷折りされて簡単に開口部５３が閉じられるので、バッグ６９全体を簡単にコンパクトな形状に閉じることができると共に、コンパクトに閉じたバッグ６９の全体形状を折り曲げ案内板６１，６３によって維持することが可能で、形崩れのないデザイン性に優れた利点を有する。
【００２６】
尚、図７の実施形態では、左右一対の折り曲げ案内板６１，６３を正面視矩形状に形成したが、例えば図４の折り曲げ案内板２９を折り癖３１に沿って切断して左右一対の正面視三角形状の折り曲げ案内板を形成し、この一対の折り曲げ案内板を前記折り曲げ案内板６１，６３と同様、折り線５９に沿って各側布部４９，５１の上部に配置してもよい。
而して、この実施形態によれば、バッグを図１の実施形態の如き形状に閉じることが可能である。
【００２７】
また、上述した各実施形態は、何れも本発明をトート型の手提げバッグに適用したものであるが、斯かるトート型のバッグに限定されるものではなく、開いたときに開口部を形成する前布部と後布部と左右一対の側布部とを備えたその他の総てのバッグに本発明を適用することが可能である。
【図面の簡単な説明】
【００２８】
【図１】請求項１及び請求項２の第一実施形態に係るバッグの開口部を閉じた状態の全体斜視図である。
【図２】図１に示すバッグの開口部を開いた状態の全体斜視図である。
【図３】図１に示すバッグの開口部を閉じつつある状態の全体斜視図である。
【図４】折り曲げ案内板と当該折り曲げ案内板が取り付く側布部の説明図である。
【図５】折り曲げ案内板が取り付く側布部の断面図である。
【図６】請求項１及び請求項２の第二実施形態に係るバッグの折り曲げ案内板が取り付く側布部の断面図である。
【図７】請求項１及び請求項３の一実施形態に係るバッグの開口部を開いた状態の全体斜視図である。
【図８】図７に示すバッグの開口部を閉じた状態の全体斜視図である。
【図９】折り曲げ案内板と当該折り曲げ案内板が取り付く側布部の説明図である。
【図１０】折り曲げ案内板が取り付く側布部の断面図である。
【符号の説明】
【００２９】
１，４３  バッグ本体
３  シート材
５，４５  前布部
７，４７  後布部
９，１１，４９，５１  側布部
１５，５３  開口部
１７  合成樹脂シート
１９  化粧布
２１  スライドファスナー
２３  ハンドル
２７，３９，５９  折り線
２９，６１，６３  折り曲げ案内板
３１  折り癖
４１，４１-1，６９  バッグ
５５，５７  フック
【図１】
2007319218.tif 000003
【図２】
2007319218.tif 000004
【図３】
2007319218.tif 000005
【図４】
2007319218.tif 000006
【図５】
2007319218.tif 000007
【図６】
2007319218.tif 000008
【図７】
2007319218.tif 000009
【図８】
2007319218.tif 000010
【図９】
2007319218.tif 000011
【図１０】
2007319218.tif 000012